(57)【特許請求の範囲】
【請求項１】
被処理水を、逆浸透膜装置に供給するに先だって、この逆浸透膜を構成する材料を含む吸着剤を用いて吸着処理することを特徴とする水処理方法。
【請求項２】
逆浸透膜を構成する材料が、ポリアミド系材料であることを特徴とする請求項１記載の水処理方法。
【請求項３】
逆浸透膜装置の前段に、この逆浸透膜を構成する材料を含む吸着剤を用いた吸着手段が設けられていることを特徴とする水処理装置。
【請求項４】
逆浸透膜の汚染物質を分析する方法であって、この逆浸透膜を構成する材料を含む吸着剤を用いて被処理水を吸着処理し、吸着物を分析することを特徴とする逆浸透膜汚染物質の分析方法。
【発明の詳細な説明】
【０００１】
【発明の属する技術分野】
本発明は、医薬品製造工場、半導体製造工場、液晶製造工場、食品工場、発電所などに適用される水処理方法および装置、並びに分析方法に関し、詳しくは、逆浸透膜を用いた水処理方法および装置、並びに逆浸透膜の汚染物質を分析する方法に関する。
【０００２】
【従来の技術】
従来、純水の製造などには、逆浸透膜装置を用いた水処理方法が用いられている。逆浸透膜としては、ポリアミド系材料からなるものが多く用いられている。
逆浸透膜、特にポリアミド系材料からなる逆浸透膜は、脱塩率が高く、有機物除去性に優れている反面、有機物汚染を受けやすいため、透過流速が低下しやすいという問題ある。
このため、逆浸透膜装置への供給に先だって、活性炭などの吸着剤を用いて、被処理水の汚染物質を吸着除去する方法がとられることがあるが、この方法では、汚染物質以外の物質も吸着剤に吸着されてしまうため、吸着剤の使用量が多くなり、コスト上昇を招くという問題があった。
【０００３】
透過流束に影響する汚染物質は、被処理水ごとに異なることが多い。特にポリアミド系材料からなる逆浸透膜では、陰・陽両方の電荷をもつ官能基を有するため、汚染物質の種類は様々であり、吸着状態は複雑である。
逆浸透膜の汚染に対しては、この汚染物質を分析し、その成分を明らかにし、挙動を把握することが有効であるが、一般に、被処理水中の汚染物質濃度は低いため、分析には濃縮が必要となる。
被処理水中の特定物質を濃縮するには、被処理水を活性炭等の吸着剤を用いて吸着処理する方法が多く用いられている。
しかしながら、この方法で汚染物質を濃縮する場合には、汚染物質以外の物質も同時に吸着されてしまうため、十分な濃縮率を得ることができず、精度の高い分析が難しくなるという問題があった。
【０００４】
【発明が解決しようとする課題】
本発明は上記事情に鑑みなされたもので、逆浸透膜の汚染を防ぎ、透過流速の低下を抑えることができる水処理方法および装置、並びに逆浸透膜の汚染物質を精度よく分析することができる分析方法を提供することを目的とする。
【０００５】
【課題を解決するための手段】
本発明の水処理方法は、被処理水を、逆浸透膜装置に供給するに先だって、この逆浸透膜を構成する材料を含む吸着剤を用いて吸着処理することを特徴とする。
逆浸透膜を構成する材料としては、ポリアミド系材料を用いるのが好ましい。
【０００６】
本発明の水処理装置は、逆浸透膜装置の前段に、この逆浸透膜を構成する材料を含む吸着剤を用いた吸着手段が設けられていることを特徴とする。
【０００７】
本発明の逆浸透膜汚染物質の分析方法は、この逆浸透膜を構成する材料を含む吸着剤を用いて被処理水を吸着処理し、吸着物を分析することを特徴とする。
【０００８】
【発明の実施の形態】
図１は、本発明の水処理装置の一実施形態を示すもので、ここに示す水処理装置は、逆浸透膜装置１の前段に、吸着手段である吸着筒２を備えて構成されている。
逆浸透膜装置１としては、従来公知の材料からなる逆浸透膜を有するものが使用できる。特に、ポリアミド系材料からなる逆浸透膜を用いると、被処理水の供給圧力を低く設定できるため、好ましい。
この逆浸透膜装置１としては、例えばＦｉｌｍ Ｔｅｃ社のＦＩＬＭＴＥＣ Ｔｙｐｅ ＦＴ３０、日東電工（株）のＥＳ２０、ＥＳ１０、ＮＴＲ７５９、東レ（株）のＳＵ７００を挙げることができる。
吸着筒２は、外筒２ａ内に吸着剤が充填されて構成されている。
【０００９】
本実施形態の水処理装置においては、吸着剤として、逆浸透膜装置１の逆浸透膜を構成する材料を含むもの、好ましくは逆浸透膜の膜分離層を構成する材料を含むものが用いられる。
逆浸透膜装置１の逆浸透膜の膜分離層がポリアミド系材料からなるものである場合には、吸着剤として、このポリアミド系材料を含むものを用いるのが好ましい。
【００１０】
以下、図１に示す水処理装置を用いた場合を例として、本発明の水処理方法の一実施形態を説明する。
被処理水貯留槽３からの被処理水を、ポンプ４によって、経路５を通して吸着筒２に導入し、吸着剤に接触させる。
【００１１】
逆浸透膜装置１の透過流束に影響を与える汚染物質は、逆浸透膜の膜分離層表面に蓄積しやすい物質であるため、この逆浸透膜に対し選択的に吸着しやすい性質を有する。
吸着筒２の吸着剤は、逆浸透膜の構成材料を含むものであるため、被処理水中の汚染物質は、この吸着剤に選択的に吸着され、吸着筒２内で濃縮される。
【００１２】
吸着筒２を経た中間処理水は、経路６を通して逆浸透膜装置１に導入され、逆浸透膜を透過した最終処理水が系外に導出される。
逆浸透膜装置１に導入される中間処理水は、吸着筒２で汚染物質が除去されたものであるため、逆浸透膜の膜孔閉塞が起こりにくく、透過流速が高く維持される。
【００１３】
次に、吸着筒２内に濃縮された汚染物質を、次のようにして回収し、分析する。
貯留槽３からの被処理水の供給を停止した後、汚染物質を吸着剤から溶離させる溶離液を、溶離液貯留槽７から、経路８、５を通して吸着筒２に導入する。
【００１４】
この溶離液としては、汚染物質を吸着剤から溶離させることができるものであれば特に限定されないが、有機溶媒、酸溶液、アルカリ溶液などを用いることができる。
有機溶媒としては、メタノール、エタノールなどを使用できる。
酸溶液としては、塩酸、硫酸などの水溶液を用いることができ、その濃度は、２質量％以上とするのが好ましい。
アルカリ溶液としては、水酸化ナトリウム、水酸化カリウムなどの水溶液を用いることができ、その濃度は２質量％以上とすることができる。
溶離液は、複数種類を各々異なる貯留槽７に用意しておき、吸着剤や汚染物質に応じて選択使用するのが好ましい。
【００１５】
溶離液を吸着筒２に導入することによって、汚染物質は吸着剤から溶離する。
溶離した汚染物質を含む溶離排液は、回収経路９を通して回収される。
溶離排液中の汚染物質は、吸着剤に選択的に吸着されていたものであるため、この溶離排液は、汚染物質の含有濃度が高く、他の物質の含有濃度が低いものとなる。
回収された溶離排液は、従来公知の分析方法、例えば誘導体化−ガスクロマトグラフ法、液体クロマトグラフ−質量分析法などにより分析され、その成分が明らかにされる。
この分析の際には、分析対象である汚染物質の濃度が高い溶離排液が試料となるため、不純物の影響が小さくなり、精度の高い分析が可能となる。
【００１６】
本実施形態の水処理方法では、被処理水を、逆浸透膜装置１に供給するに先だって、この逆浸透膜の構成材料を含む吸着剤を用いた吸着筒２により吸着処理するので、逆浸透膜に対し吸着しやすい汚染物質が、吸着筒２において選択的に除去される。
このため、逆浸透膜装置１において、逆浸透膜の膜孔閉塞を起こりにくくし、透過流速を高く維持することができる。
従って、逆浸透膜装置１の洗浄頻度を低くすることができる。また耐用期間を長くすることができる。
また、吸着筒２において汚染物質を選択的に吸着剤に吸着させることができるため、吸着剤使用量を抑え、低コスト化を図ることができる。
【００１７】
また、上記分析方法では、逆浸透膜の構成材料を含む吸着剤を用いて被処理水を吸着処理するので、上記汚染物質を吸着筒２で選択的に捕捉することができる。
このため、汚染物質の含有濃度が高い溶離排液を得ることができ、これを分析する際の精度を高めることができる。
【００１８】
【実施例】
反応式（１）に示すように、フェニレンジアミンとトリメソイルクロライドを共重合させることによって、芳香族ポリアミドを合成し、これを凍結粉砕により粉末化することによって吸着剤を作製した。
【００１９】
【化１】
0003864817.tif 000002
【００２０】
この吸着剤を用いて以下の試験を行った。
上記吸着剤を充填した吸着筒に、界面活性剤の水溶液を供給し、この吸着筒を通過した処理水中の各界面活性剤の濃度（吸光度：−ｌｏｇＴ）を測定した。
界面活性剤としては、ポリオキシエチレン型非イオン界面活性剤（Ａ）と、ベンジルアンモニウム型陽イオン界面活性剤（Ｂ）とを用いた。
吸着筒に充填する吸着剤の量は、０〜１００ｍｇとした。
結果を図２に示す。図中記号●はポリオキシエチレン型非イオン界面活性剤（Ａ）を示し、▲はベンジルアンモニウム型陽イオン界面活性剤（Ｂ）を示す。
【００２１】
１ｍｇ／Ｌのポリオキシエチレン型非イオン界面活性剤（Ａ）を含む水溶液を、図１に示す水処理装置の逆浸透膜装置１に供給し、その透過流束を測定した。
この逆浸透膜装置１としては、式（１）に示すポリアミドを膜分離層に用いた逆浸透膜を用いたものを使用した。結果を図３に示す。
【００２２】
図２より、上記吸着剤は、ベンジルアンモニウム型陽イオン界面活性剤（Ｂ）に対してはほとんど吸着性がないのに対し、ポリオキシエチレン型非イオン界面活性剤（Ａ）に対しては、高い吸着性を示したことがわかる。
図３より、ポリオキシエチレン型非イオン界面活性剤（Ａ）は、ごく少量で透過流束の低下を引き起こすことがわかる。
このことから、上記ポリアミドからなる吸着剤を用いた吸着処理によって、流速低下の原因となる界面活性剤を除去することができることがわかる。
【００２３】
【発明の効果】
以上説明したように、本発明の水処理方法では、被処理水を、逆浸透膜装置に供給するに先だって、この逆浸透膜の構成材料を含む吸着剤を用いて吸着処理するので、逆浸透膜に対し吸着しやすい汚染物質が、吸着剤によって選択的に除去される。
このため、逆浸透膜装置において、逆浸透膜の膜孔閉塞を起こりにくくし、透過流速を高く維持することができる。
従って、逆浸透膜装置の洗浄頻度を低くすることができる。また耐用期間を長くすることができる。
【００２４】
本発明の分析方法では、逆浸透膜の構成材料を含む吸着剤を用いて被処理水を吸着処理するので、上記汚染物質を吸着剤で選択的に捕捉することができる。
このため、汚染物質の含有濃度が高い溶離排液を得ることができ、これを分析する際の精度を高めることができる。
【図面の簡単な説明】
【図１】   本発明の水処理装置の一実施形態を示す概略構成図である。
【図２】   試験結果を示すグラフである。
【図３】   試験結果を示すグラフである。
【符号の説明】
１・・・逆浸透膜装置、２・・・吸着筒（吸着手段）
【図１】
0003864817.tif 000003
【図２】
0003864817.tif 000004
【図３】
0003864817.tif 000005